(57)【要約】【課題】所定のイベントが発生した際に、ユーザが所望する処理を、簡易な操作で実行することができる携帯端末を提供する。【解決手段】携帯端末は、各種情報が表示可能であり、ユーザのタッチ操作によって一の情報の特定が可能である表示部を備え、所定のイベントが発生することに応じて複数の処理を実行可能である。携帯端末では、イベントとしての着信が検出された際に（ステップＳ１０１でＹＥＳ）、着信に対して実行させる処理を特定するための選択肢を複数含む画像が表示部に表示される（ステップＳ１０３）。そして、この複数の選択肢の中から、ユーザのタッチ操作によって特定された選択肢に基づき、携帯端末で実行される処理が選択される（ステップＳ１０４）。【選択図】図１８
2011087020.tif 000002
【特許請求の範囲】
【請求項１】
各種情報が表示可能であり、ユーザのタッチ操作によって一の情報の特定が可能である表示部を備え、所定のイベントが発生することに応じて複数の処理を実行可能な携帯端末であって、
前記所定のイベントに対して実行させる処理を特定するための識別情報を記憶する記憶手段と、
前記所定のイベントの発生を検出する検出手段と、
前記検出手段による検出の際に、前記記憶手段に記憶された識別情報を前記表示部に表示させる表示手段と、
前記表示部に表示された識別情報のうち、ユーザのタッチ操作によって特定された識別情報に基づき、前記携帯端末に実行させる処理を選択する処理選択手段とを有することを特徴とする携帯端末。
【請求項２】
前記識別情報は、前記携帯端末に実行させる処理を特定するための選択肢が各階層で複数存在する階層構造を有し、
前記表示手段は、ユーザのタッチ操作によって上層の選択肢が特定されることに応じて、該特定された選択肢に属する下層の選択肢を前記表示部に表示し、
前記処理選択手段は、ユーザのタッチ操作によって特定された最下層の選択肢に基づき、
前記携帯端末に実行させる処理を選択することを特徴とする請求項１に記載の携帯端末。
【請求項３】
前記各階層における複数の選択肢を前記表示部に表示させる順序を記憶する順序記憶手段をさらに有し、
前記表示手段は、前記順序記憶手段に記憶された順序に従って、前記各階層における複数の選択肢を、前記表示部に表示させ、
前記上層の選択肢の特定又は前記処理選択手段による前記処理の選択は、ユーザが前記表示部にタッチした時点において、前記表示部に表示されている選択肢が特定されることにより実行されることを特徴とする請求項２に記載の携帯端末。
【請求項４】
前記順序記憶手段は、前記各階層における複数の選択肢のそれぞれを表示部に表示させる時間を記憶し、
前記表示手段は、前記順序記憶手段に記憶された時間に従って、前記各階層における複数の選択肢を前記表示部に表示させることを特徴とする請求項３に記載の携帯端末。
【請求項５】
前記各階層における複数の選択肢のそれぞれを前記表示部に表示させる領域の大きさを記憶する領域記憶手段をさらに有し、
前記表示手段は、前記領域記憶手段に記憶された表示領域の大きさに従って、前記各階層における複数の選択肢を前記表示部に表示させ、
前記上層の選択肢の特定又は前記処理選択手段による前記処理の選択は、ユーザがタッチした前記表示部の箇所に示されていた選択肢が特定されることにより実行されることを特徴とする請求項２に記載の携帯端末。
【請求項６】
前記各階層における複数の選択肢と、これらに割り当てられたユーザのタッチ数とを示す情報を記憶するタッチ数記憶手段をさらに有し、
前記上層の選択肢の特定又は前記処理選択手段による前記処理の選択は、前記タッチ数記憶手段において、ユーザが前記表示部にタッチした箇所の数に対応付けられている選択肢が特定されることにより実行されることを特徴とする請求項２に記載の携帯端末。
【発明の詳細な説明】
【技術分野】
【０００１】
本発明は、イベントの発生時において、簡易な操作により、ユーザが所望する処理を実行することのできる携帯端末に関する。
【背景技術】
【０００２】
携帯電話は、他の通信装置からの着信があった際には、発信先との通信接続、発信先への保留メッセージの出力等の複数の処理を実行可能であり、ユーザは、携帯電話への入力操作によって、上記複数の処理の中から、携帯電話に実行させる処理を選択することができる。この際に選択される処理は、ユーザを取り巻く環境等に応じて異なると考えられる。例えば、ユーザが休憩中であるときには、発信先との通信接続が選択されるであろうし、ユーザが会議中であるときには、発信先への保留メッセージの出力などが選択されるであろう。
【０００３】
しかしながら上記着信等のイベントが発生した際に、ユーザが所望する処理の実行のために煩雑な操作を要する場合には、ユーザが何らの操作を行わないこと、或いはユーザが操作を中止することで、ユーザの所望する処理が実行されない事態が生じ得る。
【０００４】
特許文献１，２には、周辺環境の変化やユーザによる操作等のイベントが発生することに応じて、簡易な操作で或いは自動的に所定の処理を実行する装置が開示されている。
【０００５】
特許文献１に開示される装置は、発電所などのプラントで用いられる監視装置である。この監視装置は、プラントでアラームが発生した際に点滅ボタンを画面上に表示し、ユーザが点滅ボタンをクリックすると、アラームに関する詳細な情報を画面上に表示する。
【０００６】
特許文献２に開示される装置は、キーボードやマウスに対するユーザの操作によってテキストが入力されるフィールドを複数表示することが可能なＧＵＩ（Graphical User Interface）装置である。このＧＵＩ装置は、ユーザの操作により一のフィールドへのテキスト入力が完了した際には、マウスポインタを他のフィールドへ自動的に移動させて、他のフィールドへのテキスト入力を可能とする。
【先行技術文献】
【特許文献】
【０００７】
【特許文献１】特開平６−１０３４７６号公報
【特許文献２】特開平１１−０６５８００号公報
【発明の概要】
【発明が解決しようとする課題】
【０００８】
しかしながら、特許文献１，２に開示された装置は、上述の携帯電話のように、イベントの発生に応じて複数の処理を実行可能とするものではなく、イベントの発生に応じて実行可能な処理は、画面上への情報の表示やマウスポインタの移動など、単一の処理に限定されている。
【０００９】
本発明は、こうした状況に鑑みてなされたものであり、その目的は、所定のイベントが発生することに応じて複数の処理を実行可能な携帯端末であって、前記所定のイベントが発生した際に、ユーザが所望する処理を、簡易な操作で実行することができる携帯端末を提供することである。
【課題を解決するための手段】
【００１０】
上記目的を達成するため、本発明に係る携帯端末は、各種情報が表示可能であり、ユーザのタッチ操作によって一の情報の特定が可能である表示部を備え、所定のイベントが発生することに応じて複数の処理を実行可能な携帯端末であって、前記所定のイベントに対して実行させる処理を特定するための識別情報を記憶する記憶手段と、前記所定のイベントの発生を検出する検出手段と、前記検出手段による検出の際に、前記記憶手段に記憶された識別情報を前記表示部に表示させる表示手段と、前記表示部に表示された識別情報のうち、ユーザのタッチ操作によって特定された識別情報に基づき、前記携帯端末に実行させる処理を選択する処理選択手段とを有することを特徴とする。
【発明の効果】
【００１１】
本発明によれば、携帯端末において着信等のイベントの発生が特定された際には、当該イベントの発生に対して実行可能な処理を特定するための識別情報が表示部に表示される。そして、この表示された識別情報の中から、ユーザのタッチ操作によって特定された識別情報に基づき、携帯端末で実行される処理が選択される。これにより、イベントの発生時において、ユーザは、簡易な操作で、所望の処理を携帯端末に実行させることができる。
【図面の簡単な説明】
【００１２】
【図１】本発明の実施の形態における携帯端末の外観を示す概略図であり、（ａ），（ｂ）は携帯端末の正面側を示す図であり、（ｃ）は携帯端末の裏面側を示す図である。
【図２】携帯端末の内部構成を示すブロック図である。
【図３】イベント対応処理選択テーブルの構成例を示す図である。
【図４】知人情報テーブルの構成例を示す図である。
【図５】処理表示順序設定テーブルの構成例を示す図である。
【図６】処理表示領域設定テーブルの構成例を示す図である。
【図７】応答選択テーブルの構成例を示す図である。
【図８】応答表示順序設定テーブルの構成例を示す図である。
【図９】応答表示領域設定テーブルの構成例を示す図である。
【図１０】処理表示順序設定テーブルの構成例を示す図である。
【図１１】処理表示領域設定テーブルの構成例を示す図である。
【図１２】解除時間設定テーブルの構成例を示す図である。
【図１３】処理表示順序設定テーブルの構成例を示す図である。
【図１４】処理表示領域設定テーブルの構成例を示す図である。
【図１５】解除時間設定テーブルの構成例を示す図である。
【図１６】処理表示順序設定テーブルの構成例を示す図である。
【図１７】処理表示領域設定テーブルの構成例を示す図である。
【図１８】着信対応処理の一例を示すフローチャートである。
【図１９】表示部に表示される画像の例を示す図である。
【図２０】表示部に表示される画像の例を示す図である。
【図２１】表示部に表示される画像の例を示す図である。
【図２２】表示部に表示される画像の例を示す図である。
【図２３】タッチ箇所数テーブルの構成例を示す図である。
【図２４】駅構内入場対応処理の一例を示すフローチャートである。
【発明を実施するための形態】
【００１３】
以下、この発明の実施の形態について図面を参照しながら詳細に説明する。なお、図中同一または相当部分には同一符号を付す。
【００１４】
携帯端末１は、電話通信、メール送受信、インターネット接続等の通信機能や、ＴＶ放送受信機能を備えた携帯型情報処理装置である。携帯端末１は、図１に示すように、第１ユニット３と第２ユニット５とから構成され、第１ユニット３は第２ユニット５にスライド可能に結合されている。このスライドにより、携帯端末１は、例えば図１の（ａ）に示す状態から（ｂ）に示す状態へと変化する。
【００１５】
図２には携帯端末１の内部構成が示されており、携帯端末１は、無線通信部１０と、カメラ部１１と、音声処理部１２と、マイク１３と、スピーカ１４と、放送受信部１５と、表示部１６と、操作部１７と、状態検出部１８と、測位部１９と、ＲＦＩＤ（Radio Frequency IDentification）部２０と、制御部２１と、記憶部２２とを備える。
【００１６】
無線通信部１０は、無線基地局を経由して他の通信機器との電話通信が可能であり、他の通信機器からの着信が発生した際には、着信を示す情報や発信者の電話番号を、制御部２１に通知する。
【００１７】
カメラ部１１は、画像情報の取得（撮影）を行う。
【００１８】
音声処理部１２は、送話部としてのマイク１３や、受話部としてのスピーカ１４から入出力された音声信号の処理を行う。なお、スピーカ１４は、楽音や報知音（着信音）などの鳴音出力を行うことが可能である。
【００１９】
放送受信部１５は、放送局（地上局、衛星など）から送信された放送信号をアンテナを介して受信し、当該受信した信号から映像データ、音声データ、情報データ等を復調する処理を行う。
【００２０】
表示部１６は、画像、図形、文字、記号などの情報を表示する機能や、利用者の入力操作を感知するスイッチ機能を兼ね備えたタッチパネルであって、第１ユニット３（図１参照）の外面に設けられる。ユーザが表示部１６にタッチした際には、表示部１６は、圧力や静電容量等によって、ユーザがタッチしたことを示す情報や、ユーザがタッチした箇所を示す情報を取得して、制御部２１に通知する。また表示部１６は、複数の画像を連続して表示することや、複数の画像を一斉に表示することが可能であり、上記複数の画像の表示順序・表示時間・表示領域は、記憶部２２に記憶されるテーブルに従って設定される。
【００２１】
操作部１７は、テンキー、方向キー／決定キー、ファンクションキーから構成されて、第１ユニット３をスライドさせたときに露出する第２ユニット５の表面に設けられている。ユーザは、操作部１７に対する操作により、電話番号、メールアドレス、知人の名前等のテキストを含む各種情報を入力することができる。
【００２２】
状態検出部１８は、例えば、ホール素子等の磁気センサや、押下スイッチを備えるスライドセンサから構成され、第１ユニット３及び第２ユニット５の状態を検出する。
【００２３】
測位部１９は、ＧＰＳ（Global Positioning System）によって携帯端末１の位置情報を取得する。
【００２４】
ＲＦＩＤ部２０は、乗車券、電子マネー等の情報を記録するＩＣチップと、無線通信用のアンテナとから構成され、ＩＣチップへの情報の書き換え・追記や、ＩＣチップからの情報の読み出しを行ったり、アンテナを介してＩＣチップに記録された情報を他機器へ送信することができる。ユーザが駅構内に入った際や、ユーザが駅構内から出た際には、ＲＦＩＤ部２０は、ユーザが駅構内に入ったことを示す情報や、ユーザが駅構内から出たことを示す情報を、制御部２１に通知する。
【００２５】
制御部２１は、プロセッサから構成され、携帯端末１における各部の制御を行って、これら各部の諸機能（電話通信機能、メール送受信機能、インターネット接続機能、撮影機能、テレビ受信機能、コンテンツ再生機能、測位機能等）を作動させることができる。他の通信機器からの着信やユーザが駅構内に入ること等のイベントが発生した際には、制御部２１は、無線通信部１０やＲＦＩＤ部２０から情報が通知されることに応じて、記憶部２２に記憶されているプログラムに従って、イベントに対する処理を実行する。
【００２６】
記憶部２２は、電話帳情報、メール情報、発着呼情報、コンテンツ情報、アプリケーションプログラム情報、撮影画像、及び携帯端末１の諸設定に関する情報等を記憶する。
【００２７】
記憶部２２には、図３〜１７に示すテーブルが記憶される。これらのテーブルは、着信等のイベントが発生した場合に、これに応じて実行させる処理を特定するための識別情報が記録されたものである。
【００２８】
図３のイベント対応処理選択テーブルでは、着信等のイベントの名称と、これらイベントが発生することに応じて携帯端末で実行可能な複数の処理の名称とが対応付けられている。図３のテーブルは、イベントの発生に応じて実行される処理を選択するために使用され、例えば着信があった際には、着信に対応付けられている「（１１）発信先との通信接続」、「（１２）保留メッセージの出力」、「（１３）応答メッセージの出力」が表示部１６に表示される。そして、この表示された処理の中から、ユーザの表示部１６へのタッチ操作によって特定された処理が、着信に対する処理として選択される。
【００２９】
図４の知人情報テーブルは、ユーザが操作部１７から入力した情報に基づき作成されたものであって、知人が使用する通信機器の電話番号と、ユーザに対する知人の関係と、知人の名前と、知人が使用する通信機器のメールアドレスとが示されている。図４のテーブルは、他の通信機器から着信があった際に、ユーザと発信者との関係を特定するために使用される。
【００３０】
図５の処理表示順序設定テーブルは、図３，４のテーブルの下位の階層に位置付けられるものであって、図３の（１１）〜（１３）の処理名を表示部１６に表示する順序や時間が示されている。図５のテーブルは、図４のテーブルの使用により特定された知人の関係に応じて、（１１）〜（１３）の処理名の表示順序や表示時間を設定するために使用される。
【００３１】
図６の処理表示領域設定テーブルは、図３，４のテーブルの下位の階層に位置付けられるものであって、図５のテーブルに代えて使用される。図６のテーブルには、図３の（１１）〜（１３）の処理名を表示部１６に表示する領域の大きさの順序が示されている。図５のテーブルは、図４のテーブルの使用により特定された知人の関係に応じて、（１１）〜（１３）の処理名の表示領域の大きさを設定するために使用される。
【００３２】
図７の応答選択テーブルは、図３のテーブルの下位の階層に位置付けられるものであって、着信に対する処理として応答メッセージの出力（図３の（１３）参照）が選択された場合に、発信者に対して出力され得る応答メッセージが示されている。図７の（２１）〜（２４）のメッセージは、上記応答メッセージの出力が選択された場合に表示部１６に表示され、この中から、ユーザの表示部１６へのタッチ操作によって特定されたメッセージが、発信者に出力される応答メッセージとして選択される。
【００３３】
図８の応答表示順序設定テーブルは、図４，７のテーブルの下位の階層に位置付けられるものであって、図７の（２１）〜（２４）のメッセージを表示部１６に表示する順序や時間が示されている。図８のテーブルは、図４のテーブルの使用により特定された知人の関係に応じて、（２１）〜（２４）のメッセージの表示順序や表示時間を設定するために使用される。
【００３４】
図９の応答表示領域設定テーブルは、図４，７のテーブルの下位の階層に位置付けられるものであって、図８のテーブルに代えて使用される。図９のテーブルには、図７の（２１）〜（２４）のメッセージを表示部１６に表示する領域の大きさの順序が示されている。図９のテーブルは、図４のテーブルの使用により特定された知人の関係に応じて、（２１）〜（２４）のメッセージの表示領域を設定するために使用される。
【００３５】
図１０の処理表示順序設定テーブルは、図３のテーブルの下位の階層に位置付けられるものであって、図３の（３１）〜（３３）の処理名を表示部１６に表示する順序や時間が示されている。
【００３６】
図１１の処理表示領域設定テーブルは、図３のテーブルの下位の階層に位置付けられるものであって、図１０のテーブルに代えて使用される。図１１のテーブルには、図３の（３１）〜（３３）の処理名を表示部１６に表示する領域の大きさの順序が示されている。
【００３７】
図１２の解除時間設定テーブルは、図３のテーブルの下位の階層に位置付けられる。図１２のテーブルには、ユーザが駅構内に入ったことに対する処理としてサイレントモードの設定（図３の（３２）参照）が選択された場合において、表示部１６に表示される（４１）〜（４３）の選択肢が示されている。（４１）〜（４３）の選択肢は、サイレントモードの解除時間を設定するために表示部１６に表示されるものであって、これらの中から、ユーザのタッチ操作によって特定された選択肢の示す解除時間が、サイレントモードの解除時間として選択される。
【００３８】
図１３の処理表示順序設定テーブルは、図１２のテーブルの下位の階層に位置付けられるものであって、図１２の（４１）〜（４３）の選択肢を表示部１６に表示する順序や時間が示されている。
【００３９】
図１４の処理表示領域設定テーブルは、図１２のテーブルの下位の階層に位置付けられるものであって、図１３のテーブルに代えて使用される。図１４のテーブルには、図１２の（４１）〜（４３）の選択肢を表示部１６に表示する領域の大きさの順序が示されている。
【００４０】
図１５の解除時間設定テーブルは、図３のテーブルの下位の階層に位置付けられる。図１５のテーブルには、ユーザが駅構内に入ったことに対する処理として電源ＯＦＦ（図３の（３３）参照）が選択された場合において、表示部１６に表示される（５１）〜（５３）の選択肢が示されている。（５１）〜（５３）の選択肢は、電源ＯＦＦの解除時間を設定するために表示部１６に表示されるものであって、これらの中から、ユーザのタッチ操作によって特定された選択肢の示す解除時間が、電源ＯＦＦの解除時間として選択される。
【００４１】
図１６の処理表示順序設定テーブルは、図１５のテーブルの下位の階層に位置付けられるものであって、（５１）〜（５３）の選択肢が表示部１６に表示される順序や時間が示されている。
【００４２】
図１７の処理表示領域設定テーブルは、図１５のテーブルの下位の階層に位置付けられるものであって、図１６のテーブルに代えて使用される。図１７のテーブルには、図１５の（５１）〜（５３）の選択肢を、表示部１６に表示する領域の大きさの順序が示されている。
【００４３】
なお、図１０、図１３、図１６のテーブルに示される表示順序や表示時間、図１１、図１４、図１７のテーブルに示される表示領域の大きさの順序は、ユーザが操作部１７に入力した情報に基づき設定される。
【００４４】
次に、イベントが発生することに応じて携帯端末１で実行される処理の一例として、着信があった際に実行される着信対応処理について、図１８を用いて説明する。
【００４５】
制御部２１は、他の通信機器からの着信を検出するまで待機する（ステップＳ１０１）。そして、制御部２１は、無線通信部１０から着信を示す情報が通知されることで、着信を検出すると（ステップＳ１０１でＹＥＳ）、無線通信部１０から通知される発信者の電話番号に基づき、ユーザと発信者との関係を特定する（ステップＳ１０２）。このステップＳ１０２では、図４のテーブルが使用されて、ユーザと発信者との関係が特定される。例えば、発信者が「佐藤」であった場合には、無線通信部１０から電話番号「０９０３３３３△△△△」が制御部２１に通知されることで、図４のテーブルで電話番号「０９０３３３３△△△△」に対応付けられている「会社の同僚」が、「佐藤」とユーザとの関係として特定される。
【００４６】
次に、制御部２１は、図３のテーブルを使用して、着信に対して実行する処理を選択させるための画像を、表示部１６に表示する（ステップＳ１０３）。この結果、表示部１６には、図３のテーブルで「着信」に対応付けられている、（１１）発信者先との通信接続、（１２）保留メッセージの出力、（１３）応答メッセージの出力、の３つの選択肢が表示部１６に示される。
【００４７】
この際の選択肢の表示方法としては、図５のテーブルが使用されて各選択肢が順次切り替えられる形式や、図６のテーブルが使用されて各選択肢が表示部１６に一斉に表示される形式がある。これらの形式における各選択肢の表示順序や表示領域等は、ステップＳ１０２で特定された発信者とユーザとの関係に基づき設定される。
【００４８】
例えば、ステップＳ１０２で「会社の同僚」の関係が特定されていた場合、各選択肢が切り替えられる形式では、（１１）〜（１３）の表示順序や表示時間が、図５のテーブルで「会社の同僚」に対応付けられている表示順序や表示時間に設定される。この結果、図１９に示すように、（１１）〜（１３）の選択肢は、（１１）→（１２）→（１３）の順に表示され、（１１）、（１２）、（１３）の選択肢の表示時間は、それぞれ１．５秒、１．０秒、０．７秒に設定される。
【００４９】
また、各選択肢が一斉に表示される形式では、（１１）〜（１３）の表示領域の大きさが、図６のテーブルで「会社の同僚」に対応付けられている表示領域の大きさに設定される。この結果、図２０に示すように、（１１）〜（１３）の選択肢は、（１３）→（１２）→（１１）の順に大きくなるように表示される。
【００５０】
そして、上述のように（１１）〜（１３）の選択肢が表示部１６に表示されている際に、ユーザが表示部１６にタッチすることに応じて、制御部２１は、着信に対して実行する処理を選択する（ステップＳ１０４）。この際には、表示部１６から通知される情報（ユーザがタッチしたことを示す情報・ユーザがタッチした箇所を示す情報）に基づき、着信に対して実行する処理が選択される。
【００５１】
例えば、ステップＳ１０３で（１１）〜（１３）の各選択肢が順次切り替えられる形式で表示される場合には、ユーザがタッチしたことを示す情報に基づき、ユーザが表示部１６にタッチした時点が特定されて、当該時点で表示部１６に表示されていた選択肢に係る処理が選択される。
【００５２】
また、ステップＳ１０３で（１１）〜（１３）の各選択肢が表示部１６に一斉に表示される場合には、ユーザがタッチした箇所を示す情報に基づき、ユーザがタッチした箇所が特定されて、当該箇所に表示されていた選択肢に係る処理が選択される。
【００５３】
そして、ステップＳ１０４で、（１１）発信先との通信接続、又は（１２）保留メッセージの出力が選択された場合には、これらの処理が、ステップＳ１０５，ステップＳ１０６で実行される。
【００５４】
そして、ステップＳ１０５，ステップＳ１０６が実行された後では、制御部２１は、ステップＳ１０１に復帰する。
【００５５】
一方、ステップＳ１０４で、（１３）応答メッセージの出力が選択された場合には、ステップＳ１０７に移行する。
【００５６】
このステップＳ１０７では、制御部２１は、図７のテーブルを用いて、着信に対して応答するメッセージの選択肢を表示部１６に表示する（ステップＳ１０７）。この結果、表示部１６には、図７のテーブルに示される（２１）「会議中です。３０分後にかけ直します。」（２２）「後ほどかけ直します。」、（２３）「要件をメールで連絡して下さい。」、（２４）「ただ今、電車に乗車中です。」、の４つの選択肢が表示部１６に示される。
【００５７】
この際の（２１）〜（２４）の選択肢の表示方法としては、図８のテーブルが使用されて各選択肢が順次切り替えられる形式や、図９のテーブルが使用されて各選択肢が一斉に表示される形式がある。これらの形式における各選択肢の表示順序や表示領域等は、ステップＳ１０２で特定された発信者とユーザとの関係に基づき設定される。
【００５８】
例えば、ステップＳ１０２で「会社の同僚」が特定されていた場合、各選択肢が切り替えられる形式では、（２１）〜（２４）の選択肢の表示順序や表示時間が、図８のテーブルで「会社の同僚」に対応付けられている表示順序や表示時間に設定される。この結果、図２１に示すように、（２１）〜（２４）の選択肢は、（２１）→（２２）→（２３）→（２４）の順に表示され、（２１）、（２２）、（２３）、（２４）の選択肢の表示時間は、それぞれ１．５秒、１．０秒、０．７秒、０．５秒に設定される。
【００５９】
また、各選択肢が一斉に表示される形式では、（２１）〜（２４）の選択肢の表示領域の大きさが、図９のテーブルで「会社の同僚」に対応付けられている表示領域の大きさに設定される。この結果、図２２に示すように、（２１）〜（２４）の選択肢は、（２４）→（２３）→（２２）→（２１）の順に大きくなるように表示される。
【００６０】
次に、ユーザが表示部１６にタッチすることに応じて、制御部２１は、発信先に出力する応答メッセージを選択する（ステップＳ１０８）。このステップＳ１０８では、ステップＳ１０４と同様の方式により、応答メッセージが選択される。すなわち、ステップＳ１０７で、（２１）〜（２４）のメッセージが順次切り替えられる形式で表示される場合には、ユーザが表示部１６にタッチした時点において、表示部１６に表示されているメッセージが選択される。また、ステップＳ１０７で、（２１）〜（２４）のメッセージが一斉に表示される場合には、ユーザがタッチした位置に示されているメッセージが選択される。
【００６１】
そして、ステップＳ１０８で応答メッセージの選択が行われると、制御部２１は、発信先との通信を接続し（ステップＳ１０９，Ｓ１１０，Ｓ１１１，Ｓ１１２）、Ｓ１０８で選択された応答メッセージを、発信先に対して合成音声として出力する（ステップＳ１１３，Ｓ１１４，Ｓ１１５，Ｓ１１６）。例えば、ステップＳ１０８で、（２１）「会議中です。３０分後にかけ直します。」が選択されていた場合には、ステップＳ１０９で発信先との通信が接続された後、ステップＳ１１３で（２１）のメッセージの合成音声が、発信先に対して出力される。
【００６２】
そして、ステップＳ１１３，Ｓ１１４，Ｓ１１５，Ｓ１１６が実行された際には、制御部２１は、ステップＳ１０１に復帰する。
【００６３】
そしてステップＳ１０１に復帰した後では、携帯端末１に新たな着信が発生することで、無線通信部１０から制御部２１に着信を示す情報が通知されることに応じて、図１８の処理が再開される。
【００６４】
図１８の着信対応処理によれば、携帯端末１に着信があった際には、ユーザは、表示部１６にタッチする簡易な操作によって、着信に対して携帯端末１に実行させる処理や、発信先に対して出力するメッセージを、選択することができる。
【００６５】
なお、応答メッセージを発信先に返信する方法は、上述の合成音声による方法に限られず、電子メールによる方法であってもよい。この場合には、ステップＳ１０９〜Ｓ１１６に代えて、発信先を宛先とする電子メールが生成されて、該電子メールによりステップＳ１０８で選択されたメッセージが送信される。なお、発信先の宛先は、図４のテーブルにおいて、無線通信部１０から通知される電話番号に対応付けられているメールアドレスに設定される。例えば、発信者が「佐藤」であった場合には、無線通信部１０から電話番号「０９０３３３３△△△△」が制御部２１に通知されることで、図４のテーブルで電話番号「０９０３３３３△△△△」に対応付けられているメールアドレス「ＤＤＤ＠ＥＥＥＥ」が宛先に設定される。
【００６６】
また、ステップＳ１０４，Ｓ１０８では、表示部１６でタッチが行われた箇所の数に基づき、着信に対して実行する処理や、発信先に出力するメッセージが選択され得る。この場合には、ステップＳ１０３を実行するために、例えば図２３に示すタッチ箇所数テーブルが記憶部２２に記憶される。タッチ箇所数テーブルでは、図３の（１１）〜（１３）の処理名と、これらに割り当てられたタッチの箇所数とが示されている。そして、ステップＳ１０３により、（１１）〜（１３）の選択肢が表示部１６に表示されている状況で、ユーザが表示部１６にタッチした際には、このタッチの箇所数がタッチ箇所数テーブルで割り当てられている選択肢が特定されて、該選択肢に係る処理が選択される。例えば１本の指によるタッチで、１箇所のタッチが検出された場合には、（１１）発信先との通信接続が選択され、２本の指によるタッチで、２箇所のタッチが検出された場合には、（１２）保留メッセージの出力、が選択される。
【００６７】
次に、イベントの発生に応じて実行される処理の他の例として、ユーザが駅構内に入場することに応じて実行される駅構内入場対応処理について図２４を用いて説明する。
【００６８】
制御部２１は、ユーザが駅構内に入ったことを検出するまで待機する（ステップＳ２０１）。そして、ＲＦＩＤ部２０からユーザが駅構内に入ったことを示す情報が通知されることで、ユーザが駅構内に入場したことが検出された場合には（ステップＳ２０１でＹＥＳ）、制御部２１は、図３のテーブルを使用して、駅構内に入場したことに対して実行する処理を選択させるための画像を、表示部１６に表示する（ステップＳ２０２）。この結果、表示部１６には、図３のテーブルで「駅構内への入場」に対応付けられている、（３１）設定変更なし、（３２）サイレントモードの設定、（３３）電源ＯＦＦ、の３つの選択肢が表示部１６に示される。
【００６９】
この際の選択肢の表示方法としては、図１０のテーブルが使用されて各選択肢が順次切り替えられる形式や、図１１のテーブルが使用されて各選択肢が表示部１６に一斉に表示される形式がある。
【００７０】
例えば、各選択肢が切り替えられる形式では、図１０のテーブルに基づき、（３１）〜（３３）の選択肢は、（３１）→（３２）→（３３）の順に表示され、（３１）、（３２）、（３３）の選択肢の表示時間は、それぞれ１．５秒、１．０秒、０．７秒に設定される。
【００７１】
また、各選択肢が一斉に表示される形式では、（３１）〜（３３）の選択肢の表示領域の大きさが、図１１のテーブルに基づき、（３３）→（３２）→（３１）の順に大きくなるように表示される。
【００７２】
そして、上述のように（３１）〜（３３）の選択肢が表示部１６に表示されている際に、ユーザが表示部１６にタッチすることに応じて、制御部２１は、駅構内への入場に対して実行する処理を選択する（ステップＳ２０３）。この選択は、図１８のステップＳ１０４，Ｓ１０８と同様の方式により行われる。よって詳細な説明は省略する。
【００７３】
そして、ステップＳ２０３で、（３１）設定変更なしが選択されていた場合には、ステップＳ２０１に復帰する。
【００７４】
一方、ステップＳ２０３で、（３２）サイレントモードの設定が選択された場合には、ステップＳ２０４に移行する。このステップＳ２０４では、図１２のテーブルが用いられて、（４１）「１５分後に、サイレントモードの解除」、（４２）「３０分後に、サイレントモードの解除」、（４３）「サイレントモードの解除なし」の３つの選択肢が表示部１６に表示される。
【００７５】
この際の選択肢の表示方法としては、図１３のテーブルが使用されて各選択肢が順次切り替えられる形式や、図１４のテーブルが使用されて各選択肢が表示部１６に一斉に表示される形式がある。
【００７６】
例えば、各選択肢が切り替えられる形式では、図１３のテーブルに基づき、（４１）〜（４３）の選択肢は、（４１）→（４２）→（４３）の順に表示され、（４１）、（４２）、（４３）の選択肢の表示時間は、それぞれ１．５秒、１．０秒、０．７秒に設定される。
【００７７】
また、各選択肢が一斉に表示される形式では、（４１）〜（４３）の選択肢の表示領域の大きさが、図１４のテーブルに基づき、（４３）→（４２）→（４１）の順に大きくなるように表示される。
【００７８】
そしてステップＳ２０４が実行された後では、ユーザが表示部１６にタッチすることに応じて、制御部２１は、ステップＳ２０４で表示された選択肢に係る処理の中から、携帯端末１に実行させる処理を選択する（ステップＳ２０５）。この選択についても、図１８のステップＳ１０４，Ｓ１０８と同様の方式により行われる。
【００７９】
そして、ステップＳ２０５の選択が行われると、制御部２１は、ステップＳ２０５で選択された選択肢に基づき、携帯端末１に実行させる処理を選択する（ステップＳ２０６，Ｓ２０７，Ｓ２０８）。例えば、ステップＳ２０５で、（４１）「１５分後に、サイレントモード解除」が選択されていた場合には、ステップＳ２０６で、１５分後に解除の行われるサイレントモードが設定される。
【００８０】
そしてステップステップＳ２０６，Ｓ２０７，Ｓ２０８が実行されると、制御部２１は、ステップＳ２０１に復帰する。
【００８１】
また、ステップＳ２０３で、（３３）電源ＯＦＦが選択された場合には、ステップＳ２０９に移行する。このステップＳ２０９では、図１５のテーブルが用いられて、（５１）「１５分後に、電源ＯＦＦ解除」、（５２）「３０分後に、電源ＯＦＦ解除」、（５３）「電源ＯＦＦの解除なし」の３つの選択肢が表示部１６に表示される。
【００８２】
この際の選択肢の表示方法としては、図１６のテーブルが使用されて各選択肢が順次切り替えられる形式や、図１７のテーブルが使用されて各選択肢が表示部１６に一斉に表示される形式がある。
【００８３】
例えば、各選択肢が切り替えられる形式では、図１６のテーブルに基づき、（５１）〜（５３）の選択肢は、（５１）→（５２）→（５３）の順に表示され、（５１）、（５２）、（５３）の選択肢の表示時間は、それぞれ１．５秒、１．０秒、０．７秒に設定される。
【００８４】
また、各選択肢が一斉に表示される形式では、（５１）〜（５３）の選択肢の表示領域の大きさが、図１７のテーブルに基づき、（５３）→（５２）→（５１）の順に大きくなるように表示される。
【００８５】
そしてステップＳ２０９が実行された後では、ユーザが表示部１６にタッチすることに応じて、制御部２１は、ステップＳ２０９で表示された選択肢に係る処理の中から、携帯端末１に実行させる処理を選択する（ステップＳ２１０）。この選択についても、図１８のステップＳ１０４，Ｓ１０８と同様の方式により行われる。
【００８６】
そして、ステップＳ２０９の選択が行われると、制御部２１は、ステップＳ２０９で選択された選択肢に基づき、携帯端末１に実行させる処理を選択する（ステップＳ２１１，Ｓ２１２，Ｓ２１３）。例えば、ステップＳ２１０で、（５１）「１５分後に、電源ＯＦＦ解除」が選択されていた場合には、ステップＳ２１１で、１５分後に解除される電源ＯＦＦが設定される。
【００８７】
そしてステップステップＳ２１１，Ｓ２１２，Ｓ２１３が実行されると、制御部２１は、ステップＳ２０１に復帰する。
【００８８】
なお、ステップＳ２０１に復帰した後では、ユーザが再び駅構内に入ることで、ＲＦＩＤ部２０からユーザが駅構内に入ったことを示す情報が通知されることに応じて、図２４の処理が再開される。
【００８９】
図２４の駅構内入場対応処理によれば、ユーザが駅構内に入った際には、ユーザは、表示部１６にタッチする簡易な操作によって、携帯端末１をサイレントモードに設定したり、携帯端末１の電源をＯＦＦさせることができ、さらには、サイレントモードが解除される時間や、電源ＯＦＦが解除される時間を設定することができる。
【００９０】
本実施の形態によれば、携帯端末１において着信等のイベントの発生が特定された際には、当該イベントの発生に対して実行可能な処理を特定するための複数の選択肢が表示部１６に表示される。そして、この表示された複数の選択肢の中から、ユーザのタッチ操作によって特定された選択肢に基づき、携帯端末１で実行される処理が選択される。これにより、イベントの発生時において、ユーザは、簡易な操作で、所望の処理を携帯端末１に実行させることができる。
【００９１】
また、複数の選択肢が表示部１６に表示される順序・時間・領域の大きさが、テーブルに示される優先順位に基づき設定されるので、この優先順位が適宜定められることによって、ユーザは所望とする選択肢の指定を容易に行うことができる。例えば、図７の（２１）〜（２４）のメッセージは、図８のテーブルによって表示順序・表示時間が設定されるが、図８のテーブルで「会社の同僚」に対応する表示順序が、（２１）→（２２）→（２３）→（２４）の順に設定されていることから、ユーザは、会社の同僚が欲するであろう応答不可の理由「会議中です」を含む（２１）のメッセージを、容易に指定することができる。
【００９２】
その他、本発明の好適な変形として、以下の構成が含まれる。
【００９３】
本発明に係る携帯端末について、好ましくは、前記識別情報は、前記携帯端末に実行させる処理を特定するための選択肢が各階層で複数存在する階層構造を有し、前記表示手段は、ユーザのタッチ操作によって上層の選択肢が特定されることに応じて、該特定された選択肢に属する下層の選択肢を前記表示部に表示し、前記処理選択手段は、ユーザのタッチ操作によって特定された最下層の選択肢に基づき、前記携帯端末に実行させる処理を選択することを特徴とする。
【００９４】
また好ましくは、前記各階層における複数の選択肢を前記表示部に表示させる順序を記憶する順序記憶手段をさらに有し、前記表示手段は、前記順序記憶手段に記憶された順序に従って、前記各階層における複数の選択肢を、前記表示部に表示させ、前記上層の選択肢の特定又は前記処理選択手段による前記処理の選択は、ユーザが前記表示部にタッチした時点において、前記表示部に表示されている選択肢が特定されることにより実行されることを特徴とする。
【００９５】
また好ましくは、前記順序記憶手段は、前記各階層における複数の選択肢のそれぞれを表示部に表示させる時間を記憶し、前記表示手段は、前記順序記憶手段に記憶された時間に従って、前記各階層における複数の選択肢を前記表示部に表示させることを特徴とする。
【００９６】
また好ましくは、前記各階層における複数の選択肢のそれぞれを前記表示部に表示させる領域の大きさを記憶する領域記憶手段をさらに有し、前記表示手段は、前記領域記憶手段に記憶された表示領域の大きさに従って、前記各階層における複数の選択肢を前記表示部に表示させ、前記上層の選択肢の特定又は前記処理選択手段による前記処理の選択は、ユーザがタッチした前記表示部の箇所に示されていた選択肢が特定されることにより実行されることを特徴とする。
【００９７】
また好ましくは、前記各階層における複数の選択肢と、これらに割り当てられたユーザのタッチ数とを示す情報を記憶するタッチ数記憶手段をさらに有し、前記上層の選択肢の特定又は前記処理選択手段による前記処理の選択は、前記タッチ数記憶手段において、ユーザが前記表示部にタッチした箇所の数に対応付けられている選択肢が特定されることにより実行されることを特徴とする。
【符号の説明】
【００９８】
１      携帯端末
３    第１ユニット
５    第２ユニット
１０    無線通信部
１１    カメラ部
１２    音声処理部
１３    マイク
１４    スピーカ
１５    放送受信部
１６    表示部
１７    操作部
１８    状態検出部
１９    測位部
２０    ＲＦＩＤ部
２１    制御部
２２    記憶部
【図１】
2011087020.tif 000003
【図２】
2011087020.tif 000004
【図３】
2011087020.tif 000005
【図４】
2011087020.tif 000006
【図５】
2011087020.tif 000007
【図６】
2011087020.tif 000008
【図７】
2011087020.tif 000009
【図８】
2011087020.tif 000010
【図９】
2011087020.tif 000011
【図１０】
2011087020.tif 000012
【図１１】
2011087020.tif 000013
【図１２】
2011087020.tif 000014
【図１３】
2011087020.tif 000015
【図１４】
2011087020.tif 000016
【図１５】
2011087020.tif 000017
【図１６】
2011087020.tif 000018
【図１７】
2011087020.tif 000019
【図１８】
2011087020.tif 000020
【図１９】
2011087020.tif 000021
【図２０】
2011087020.tif 000022
【図２１】
2011087020.tif 000023
【図２２】
2011087020.tif 000024
【図２３】
2011087020.tif 000025
【図２４】
2011087020.tif 000026